(57)【要約】【課題】バウンス撮影時に光学部材が熱的損傷を受けるのを防止する。【解決手段】被写体を照明する照明光を発光する発光素子７と、前記発光素子の前方に配置された光学部材９と、前記光学部材に対して前記発光素子を近接または離間させるズーム機構１２と、を有する発光部と、前記発光部を上下方向に回動可能に支持するバウンス機構と、カメラから撮影レンズズーム位置情報を取得する通信部２５と、を有する本体部とを備える照明装置において、前記通信部を介して取得された前記撮影レンズズーム位置情報に基づいて設定されている前記発光素子の位置を、前記バウンス機構により前記発光部が上方に回動されている場合には、前記光学部材から離間させる方向に移動させるように前記ズーム機構を制御する移動制御部１４を備える。【選択図】図１
2013228660.tif 000002
【特許請求の範囲】
【請求項１】
被写体を照明する照明光を発光する発光素子と、前記発光素子の前方に配置された光学部材と、前記光学部材に対して前記発光素子を近接または離間させるズーム機構と、を有する発光部と、
前記発光部を上下方向に回動可能に支持するバウンス機構と、カメラから撮影レンズズーム位置情報を取得する通信部と、を有する本体部と
を備える照明装置において、
前記通信部を介して取得された前記撮影レンズズーム位置情報に基づいて設定されている前記発光素子の位置を、前記バウンス機構により前記発光部が上方に回動されている場合には、前記光学部材から離間させる方向に移動させるように前記ズーム機構を制御する移動制御部を備えることを特徴とする照明装置。
【請求項２】
前記発光部は、前記光学部材またはその近傍の温度を測定する温度センサを備え、
前記移動制御部は、前記温度センサにより第１の温度以上の温度を検出した場合に、前記ズーム機構により前記発光素子の位置を前記光学部材から離間させる方向に移動させることを特徴とする請求項１記載の照明装置。
【請求項３】
前記移動制御部は、前記温度センサにより検出された温度の上昇に伴い前記発光素子の位置を前記光学部材から段階的に離間させることを特徴とする請求項２記載の照明装置。
【請求項４】
前記移動制御部は、前記温度センサにより前記第１の温度よりも低い第２の温度以下の温度を検出した場合に、前記ズーム機構により前記発光素子の位置を前記撮影レンズズーム位置情報に基づいて設定される位置に移動させることを特徴とする請求項２または３記載の照明装置。
【請求項５】
前記発光部のバウンス角度を検出する角度センサを備え、
前記移動制御部は、前記角度センサにより検出された角度の拡大に伴い前記発光素子の位置を前記光学部材から段階的に離間させることを特徴とする請求項１〜４の何れか一項に記載の照明装置。
【請求項６】
前記移動制御部は、前記角度センサにより検出された角度の減少に伴い前記発光素子の位置を前記光学部材に段階的に近接させることを特徴とする請求項５に記載の照明装置。
【請求項７】
前記移動制御部は、前記発光素子の熱が前記光学部材に損傷を与えない位置に前記発光素子を移動させることを特徴とする請求項１〜６の何れか一項に記載の照明装置。
【請求項８】
前記温度センサにより第１の温度以上の温度が検出された場合に、
前記通信部は、前記カメラに対して撮影感度を上昇させる指示の送信を行うことを特徴とする請求項１記載の照明装置。
【請求項９】
前記本体部は、前記発光素子の位置に関する情報を表示する表示部を備えることを特徴とする請求項１〜８の何れか一項に記載の照明装置。
【請求項１０】
前記表示部は、前記発光素子の位置が前記光学部材から離間する方向に移動した場合にその旨の情報を表示することを特徴とする請求項９記載の照明装置。
【請求項１１】
前記発光素子は、キセノン管であることを特徴とする請求項１〜１０の何れか一項に記載の照明装置。
【発明の詳細な説明】
【技術分野】
【０００１】
本発明は、発光素子の位置をズーム移動させる照明装置に関するものである。
【背景技術】
【０００２】
従来、発光素子の温度が上昇した場合、発光素子の位置を後方にズーム移動させて発光素子の前方に配置されている光学部材の熱的損傷を防止する照明装置が知られている（例えば、特許文献１参照）。この照明装置においては、発光素子の位置を定位置に設定した状態で撮影を行うことが想定されているため、撮影を行う度に発光素子を定位置にズーム移動させる必要がある。
【先行技術文献】
【特許文献】
【０００３】
【特許文献１】特開２００９−７５４０１号公報
【発明の概要】
【発明が解決しようとする課題】
【０００４】
しかしながら、上述の照明装置を用いて連続撮影を行う場合には、発光素子のズーム移動が間に合わないことから、発光素子を定位置に位置させたまま発光させるため、発光素子の前方に配置されている光学部材が高温になる場合がある。特に照明装置をバウンスさせてバウンス撮影を行う場合には、発光量が通常撮影時に比較して増大するため光学部材に熱的損傷を与える場合がある。
【０００５】
本発明の目的は、バウンス撮影時に光学部材が熱的損傷を受けるのを防止する照明装置を提供することである。
【課題を解決するための手段】
【０００６】
本発明は以下のような解決手段により上記課題を解決する。なお、理解を容易にするために、本発明の実施の形態に対応する符号を付して説明するが、本発明はこれに限定されるものではない。
【０００７】
本発明の照明装置（２）は、被写体を照明する照明光を発光する発光素子（７）と、前記発光素子の前方に配置された光学部材（９）と、前記光学部材に対して前記発光素子を近接または離間させるズーム機構（１２）と、を有する発光部と、前記発光部を上下方向に回動可能に支持するバウンス機構と、カメラから撮影レンズズーム位置情報を取得する通信部（２５）と、を有する本体部とを備える照明装置において、前記通信部を介して取得された前記撮影レンズズーム位置情報に基づいて設定されている前記発光素子の位置を、前記バウンス機構により前記発光部が上方に回動されている場合には、前記光学部材から離間させる方向に移動させるように前記ズーム機構を制御する移動制御部（１４）を備えることを特徴とする。
【発明の効果】
【０００８】
本発明の照明装置によれば、バウンス撮影時に光学部材が熱的損傷を受けるのを防止することができる。
【図面の簡単な説明】
【０００９】
【図１】実施の形態に係る照明装置の内部構成を側面から視た図である。
【図２】実施の形態に係る照明装置の発光部の内部機構を示す図である。
【図３】実施の形態に係る照明装置のシステム構成を示す回路ブロック図である。
【図４】実施の形態に係る照明装置の通常撮影時及びバウンス撮影時の状態を示す図である。
【図５】実施の形態に係る照明装置においてズーム移動させた発光部材の位置を示す図である。
【図６】実施の形態に係る照明装置の処理を示すフローチャートである。
【図７】実施の形態に係る照明装置のＬＣＤ表示部に表示するマークを示す図である。
【発明を実施するための形態】
【００１０】
以下、図面を参照して実施の形態に係る照明装置について説明する。図１は、実施の形態に係る照明装置２の内部構成を側面から視た図である。照明装置２は、発光部４と本体部６とを備えており、発光部４は水平位置から上方向にバウンスできるように本体部６に回動可能に取付けられている。
【００１１】
発光部４の内部には、発光素子であるキセノン管７、キセノン管７から発光された直接光を反射させる反射ミラー８が設けられており、キセノン管７の前方には、キセノン管７から発光された直接光及び反射ミラー８により反射された反射光を集光させるフレネルパネル９が設けられている。被写体は、フレネルパネル９において集光された照明光によって照明される。
【００１２】
また、発光部４の内部には、キセノン管７及び反射ミラー８からなる発光部１０の位置を図２に示すテレ側またはワイド側にズーム移動させるためのズームガイド軸１１、発光部１０をズームガイド軸１１に沿ってズーム移動させることによりフレネルパネル９を介して射出される照明光の照射角を調整する駆動モータ１２、及びフレネルパネル９の近傍の温度を測定する温度センサ１３が設けられている。なお、温度センサ１３は、フレネルパネル９自体の温度を測定してもよい。
【００１３】
ここで、図２に二点鎖線で示すように、駆動モータ１２により発光部１０をテレ側にズーム移動させてフレネルパネル９から遠ざけると、フレネルパネル９の温度が低下し、温度センサ１３により測定されるフレネルパネル９の近傍の温度は低くなる。一方、駆動モータ１２により発光部１０をワイド側にズーム移動させてフレネルパネル９に近づけると、フレネルパネル９の温度が上昇し、温度センサ１３により測定されるフレネルパネル９の近傍の温度は高くなる。
【００１４】
また、本体部６の内部には、照明装置２の各部を統括的に制御する制御回路１４、キセノン管７を発光させるための電気エネルギを蓄積するメインコンデンサ１６、キセノン管７の発光量を調整する発光回路１８、電源の電圧を昇圧する昇圧回路２０、発光部４がバウンスした角度を検知するバウンス角度検出スイッチ２２が備えられている。また、本体部６の下面には、照明装置２をカメラに取付ける取付部２４が備えられており、取付部２４には、照明装置２をカメラに取付けた状態でカメラとの間の通信を行う通信端子２５が設けられている。
【００１５】
図３は、実施の形態に係る照明装置２のシステム構成を示す回路ブロック図である。照明装置２には、制御回路１４が備えられ、制御回路１４には、昇圧回路２０、発光回路１８、及び通信端子２５が接続されている。
【００１６】
制御回路１４は、昇圧回路２０の動作を制御するための昇圧信号を出力する。昇圧回路２０は、昇圧信号が入力されると電源３０の電圧を昇圧させ、メインコンデンサ１６への充電を行う。また、制御回路１４は、キセノン管７を発光させる発光信号を発光回路１８に対して出力する。発光回路１８は、入力された発光信号に基づいてキセノン管７の発光量を調整する。また、制御回路１４は、通信端子２５を介してカメラとの通信を行う。
【００１７】
また、制御回路１４には、バウンス角度検出スイッチ２２、駆動モータ１２、及び温度センサ１３が接続されている。制御回路１４は、バウンス角度検出スイッチ２２を介して発光部４のバウンス角度を検知する。また、制御回路１４は、駆動モータ１２を駆動させ発光部１０をテレ側またはワイド側（図２参照）にズーム移動させて照明光の照射角を調整する。また、制御回路１４は、温度センサ１３によりフレネルパネル９の近傍の温度を測定する。
【００１８】
次に、図面を参照して実施の形態に係る照明装置２の発光時の状態について説明する。図４（ａ）は、通常撮影時における照明装置２の状態を示す図である。通常撮影時においては、発光部４が前方に向けられ、フレネルパネル９を介して射出された照明光は発光部４から前方に照射される。
【００１９】
ここで、図４（ｂ）に示すように、発光部４を上方向に回動させ、発光部４を天井方向に向けた状態でバウンス撮影を行った場合、フレネルパネル９を介して射出された照明光は、一旦天井で反射し、天井で反射した間接光が被写体に照射される。このため、バウンス撮影時においては、通常撮影時と同じ明るさで被写体を照明するためには通常撮影時よりも大きな発光量が必要となる。しかし、発光部１０がワイド側に位置する場合（図２参照）に発光量を大きくすると、キセノン管７に発生した熱によりフレネルパネル９が熱的損傷を受ける危険性がある。
【００２０】
この危険性を回避するため、実施の形態に係る照明装置２においては、バウンス撮影時に温度センサ１３により所定の温度よりも高い温度が検出された場合、フレネルパネル９が熱的損傷を受けるおそれのない安全位置まで発光部１０を退避させる。例えば、バウンス撮影時に温度センサ１３により所定の温度以上の温度が検出された場合、図５（ａ）に示すように、駆動モータ１２により発光部１０の位置をテレ側にズーム移動させ、安全位置Ｌまで退避させる。そして、図５（ｂ）に示すように、発光部４が通常撮影状態に戻され、フレネルパネル９の近傍の温度が所定の温度以下となった場合、発光部１０の位置をワイド側にズーム移動させる。これにより、大きな発光量を必要とするバウンス撮影時において、フレネルパネル９に熱的損傷が与えることなく被写体を照明することができる。
【００２１】
ここで、発光部１０の位置を安全位置Ｌまで退避させた状態で撮影を行った場合、発光部１０の位置が撮影レンズのズーム画角に対応する位置よりもテレ側となるが、バウンス撮影時における照明光は間接照明となるため（図４（ｂ）参照）、照明光の照射角と撮影レンズのズーム画角とを厳密に対応させる必要はない。従って、発光部１０の位置を退避させたことが原因で撮影された画像の画質が悪化することはない。
【００２２】
図６は、実施の形態に係る照明装置２の処理を示すフローチャートである。まず、照明装置２が取付部２４を介してカメラに装着され、照明装置２の電源がオンにされると、制御回路１４は、温度センサ１３によりフレネルパネル９の近傍の温度を測定する（ステップＳ１）。次に、制御回路１４は、通信端子２５を介してカメラとの通信を行い、カメラから撮影レンズのズーム位置情報を取得する。そして、ズーム位置情報に基づいて発光部１０を移動させる目標位置Ｓを決定する（ステップＳ２）。
【００２３】
次に、制御回路１４は、バウンス角度検出スイッチ２２を介して検知したバウンス角度に基づいて発光部４がバウンスした状態（以下、バウンス状態という。）にあるか否かを判定する（ステップＳ３）。例えば、検知したバウンス角度が水平位置（図１参照）から６０°以上の角度である場合に発光部４がバウンス状態にあると判定する。
【００２４】
発光部４がバウンス状態にある場合（ステップＳ３：Ｙｅｓ）、制御回路１４は、温度センサ１３により検出した温度がＴ１℃以上の温度であるか否かを判定する（ステップＳ４）。ここで、閾値となる温度であるＴ１℃の値についてはフレネルパネルが溶解する温度を越えない範囲で操作者が任意に設定することができる。
【００２５】
一方、発光部４がバウンス状態でない場合（ステップＳ３：Ｎｏ）、温度に関係なく通常のズーム制御を行なうため、制御回路１４は、発光部１０をフレネルパネル９の近傍から退避させた履歴であるズーム退避フラグを「０」に設定し（ステップＳ１１）、駆動モータ１２により発光部１０の位置を目標位置Ｓにズーム移動させる（ステップＳ５）。
【００２６】
温度センサ１３により検出した温度がＴ１℃以上の温度でない場合（ステップＳ４：Ｎｏ）、制御回路１４は、ズーム退避フラグが「０」（退避させてない）に設定されているか否かの判定を行なう。その結果が「０」の場合（ステップＳ９：Ｙｅｓ）、通常時のズーム制御を行ない、駆動モータ１２により発光部１０の位置を目標位置Ｓにズーム移動させる（ステップＳ５）。一方、温度センサ１３により検出した温度がＴ１℃以上の温度である場合（ステップＳ４：Ｙｅｓ）、制御回路１４は、目標位置Ｓが安全位置Ｌよりもワイド側に設定されているか否かを判定する（ステップＳ６）。
【００２７】
目標位置Ｓが安全位置Ｌよりもワイド側に設定されていない場合（ステップＳ６：Ｎｏ）、通常時のズーム制御を行なっても問題ないので、制御回路１４は、駆動モータ１２により発光部１０の位置を目標位置Ｓにズーム移動させる（ステップＳ５）。一方、目標位置Ｓが安全位置Ｌよりもワイド側に設定されている場合（ステップＳ６：Ｙｅｓ）、制御回路１４は、ズーム退避フラグを「１」（退避させた）に設定し（ステップＳ７）、駆動モータ１２により発光部１０の位置を安全位置Ｌに退避させる（ステップＳ８）。
【００２８】
また、バウンス状態だが検出温度がＴ１℃未満の場合（ステップＳ４：Ｎｏ）、制御回路１４は、ズーム退避フラグが「０」に設定されているか否かを判定する（ステップＳ９）。ズーム退避フラグが「０」に設定されている場合（ステップＳ９：Ｙｅｓ）、制御回路１４は、駆動モータ１２により発光部１０の位置を目標位置Ｓにズーム移動させる（ステップＳ５）。一方、ズーム退避フラグが「１」に設定された場合（ステップＳ９：Ｎｏ）、制御回路１４は、ズーム退避動作を解除するために温度センサ１３により検出した温度がＴ２℃以下の温度であるか否かを判定する（ステップＳ１０）。ここで、Ｔ２℃の温度はＴ１℃よりも低い温度であり（Ｔ２℃＜Ｔ１℃）、Ｔ２℃の値については操作者がＴ２℃＜Ｔ１℃を満たす範囲で任意に設定することができる。
【００２９】
温度センサ１３により検出した温度がＴ２℃以下の温度である場合（ステップＳ１０：Ｙｅｓ）、制御回路１４は、ズーム退避フラグを「０」に設定し（ステップＳ１１）、駆動モータ１２により発光部１０の位置を目標位置Ｓにズーム移動させる（ステップＳ５）。一方、温度センサ１３により検出した温度がＴ２℃以下の温度でない場合（ステップＳ１０：Ｎｏ）、制御回路１４は、目標位置Ｓが安全位置Ｌよりもワイド側にあるか否かを判定する（ステップＳ１２）。目標位置Ｓが安全位置Ｌよりもワイド側にない場合（ステップＳ１２：Ｎｏ）、制御回路１４は、ズーム退避フラグを「０」に設定し（ステップＳ１１）、駆動モータ１２により発光部１０の位置を目標位置Ｓにズーム移動させる（ステップＳ５）。
【００３０】
この実施の形態に係る照明装置２によれば、フレネルパネル９の近傍の温度がＴ１℃以上の温度である場合には、発光部１０を安全位置Ｌに退避させた状態で連続してバウンス撮影を行うため、バウンス撮影時にフレネルパネル９が熱的損傷を受けるのを防止することができる。また、過度なズーム移動に伴って発生する不快なズーム動作音を減少させることができる。また、過度なズーム移動による照明装置２のエネルギ消費を抑制することができる。
【００３１】
また、一旦フレネルパネル９の近傍の温度がＴ１℃以上になった場合、温度がＴ２℃以下にならないと（ステップＳ１０：Ｙｅｓ）発光部１０を目標位置Ｓにズーム移動させないようにヒステリシスが設定されているため、例えば、フレネルパネル９の近傍の温度がＴ１℃近辺を上下している場合において、発光部１０の無用なズーム移動を防止することができる。
【００３２】
なお、上述の実施の形態において、発光部１０の位置を発光部４のバウンス角度に応じて段階的にズーム移動させるようにしてもよい。例えば、バウンス角度が拡大した場合、制御回路１４は、発光部１０の位置をフレネルパネル９から段階的に遠ざけて安全位置Ｌにズーム移動させる。一方、バウンス角度が縮小した場合、制御回路１４は、発光部１０の位置をフレネルパネル９に段階的に近づけて目標位置Ｓにズーム移動させる。これにより、発光部１０をフレネルパネル９の熱的損傷を防止できる適切な位置に移動させることができる。
【００３３】
また、上述の実施の形態において、温度センサ１３により検出された温度に応じて発光部１０の位置を段階的にズーム移動させるようにしてもよい。例えば、温度センサ１３により検出される温度が上昇した場合、制御回路１４は、発光部１０の位置をフレネルパネル９から段階的に遠ざけて安全位置Ｌにズーム移動させる。一方、温度センサ１３により検出される温度が下降した場合、制御回路１４は、発光部１０の位置をフレネルパネル９に段階的に近づけて目標位置Ｓにズーム移動させるようにしてもよい。
【００３４】
また、上述の実施の形態において、バウンス状態でない場合（ステップＳ３：Ｎｏ）、照明装置２は、通信端子２５を介してカメラにＩＳＯ値（撮影感度）を上昇させる指示を送信するようにしてもよい。この場合、カメラは、受信した指示に基づいて現在のＩＳＯ値を上昇させ、上昇させたＩＳＯ値に基づいて照明装置２の発光量を減少させる。即ち、カメラは、照明装置２に対して発光量を減少させる指示を送信する。照明装置２は、受信した指示に基づいて発光量を減少させ、減少させた発光量で照明光を照射する。これにより、バウンス撮影以外においてもキセノン管７に発生する熱を抑制することができる。また、カメラのＩＳＯ値を上昇させることにより、照明光の発光量を減少させても撮影される画像の画質を維持することができる。なお、この場合、操作者の判断により、バウンス撮影時にカメラのＩＳＯ値を上昇させるか、または発光部１０を安全位置Ｌにズーム移動させるかを選択できるようにしてもよい。
【００３５】
また、上述の実施の形態において、照明装置２の本体部６の背面にＬＣＤ表示部を備え、図７に示すように、ＬＣＤ表示部に照明装置２を示すマーク２４を表示するようにしてもよい。そして、発光部１０の位置を示すインジケータ２６を表示し、発光部１０のズーム移動に対応させてインジケータ２６の位置を変化させるようにしてもよい。また、ＬＣＤ表示部において、撮影レンズのズーム位置情報を、例えば、「７０ｍｍ」のように表示し、発光部１０が安全位置Ｌにズーム移動した場合には、「７０ｍｍ」の表示の周囲に四角い枠を表示するようにしてもよい。これにより、操作者は、発光部１０がズーム移動したか否かを容易に把握することができる。なお、発光部４がバウンスした場合には、発光部の向きを示す矢印のマーク２８を表示するようにしてもよい。
【００３６】
また、上述の実施の形態において、発光部４に備えられる発光素子はキセノン管に限定されず、例えば発光素子としてＬＥＤ光源を備えるようにしてもよい。
【符号の説明】
【００３７】
２…照明装置、４…発光部、６…本体部、７…キセノン管、８…反射ミラー、９…フレネルパネル、１０…発光部、１１…ズームガイド軸、１２…駆動モータ、１３…温度センサ、１４…制御回路、１６…メインコンデンサ、１８…発光回路、２０…昇圧回路、２２…バウンス角度検出スイッチ
【図１】
2013228660.tif 000003
【図２】
2013228660.tif 000004
【図３】
2013228660.tif 000005
【図４】
2013228660.tif 000006
【図５】
2013228660.tif 000007
【図６】
2013228660.tif 000008
【図７】
2013228660.tif 000009